【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項1】
照射した放射線の強度に応じて2次元的に配列された複数の検出素子で画像データを生成して放射線画像の読み取りを行なう撮像パネルを有し、入射した放射線の画像データを出力するカセッテ型放射線画像検出器であって、
前記画像データを記憶する記憶手段と、
前記画像データから間引き画像データを作成する間引き画像データ作成手段と、
前記間引き画像データを無線信号に変換して外部の信号受信機に転送する画像データ転送手段と、
前記撮影の位置が所定位置が否かを自動的に判別する撮影位置判別手段と、を有することを特徴とするカセッテ型放射線画像検出器。
【請求項2】
前記撮像パネルは、
入射した放射線の強度に応じた発光を行なう第1層と、
前記第1層から出力された光を電気エネルギーに変換する第2層と、
前記第2層で得られた電気エネルギーの蓄積およびこの蓄積された電気エネルギーに基づく信号の出力を行なう第3層と、
前記第1層、第2層および第3層を保持する第4層と、
を有することを特徴とする請求項1に記載のカセッテ型放射線画像検出器。
【請求項3】
前記第2層が有機化合物を用いて形成されていることを特徴とする請求項2に記載のカセッテ型放射線画像検出器。
【請求項4】
前記第3層が有機半導体を用いて形成されていることを特徴とする請求項2または請求項3に記載のカセッテ型放射線画像検出器。
【請求項5】
前記第4層が樹脂で形成されていることを特徴とする請求項2乃至請求項4のいずれか1項に記載のカセッテ型放射線画像検出器。
【請求項6】
前記作成された画像データの間引き画像を表示する表示部を備えることを特徴とする請求項1乃至請求項5のいずれか1項に記載のカセッテ型放射線画像検出器。
【請求項7】
前記判別した撮影の位置が所定位置でない場合警告する報知手段を備えることを特徴とする請求項1乃至請求項6のいずれか1項に記載のカセッテ型放射線画像検出器。
【請求項8】
前記画像データの全部を転送する着脱可能な信号線を備えることを特徴とする請求項1乃至請求項7のいずれか1項に記載のカセッテ型放射線画像検出器。
【請求項9】
前記画像データの全部を転送する転送端子を備えることを特徴とする請求項1乃至請求項7のいずれか1項に記載のカセッテ型放射線画像検出器。
【請求項10】
前記画像データの全部を保存可能なメモリが着脱可能なメモリ装填部を備えることを特徴とする請求項1乃至請求項9のいずれか1項に記載のカセッテ型放射線画像検出器。
【請求項11】
前記転送する無線が赤外線であることを特徴とする請求項1乃至請求項10のいずれか1項に記載のカセッテ型放射線画像検出器。
【請求項12】
請求項1乃至請求項11のいずれか1項に記載のカセッテ型放射線画像検出器と、前記カセッテ型放射線画像検出器で撮影するために放射線を照射するＸ線発生装置と、
前記カセッテ型放射線画像検出器で得られる間引き画像データの無線信号を受信する信号受信機と、
を備えることを特徴とする放射線画像検出システム。
【請求項13】
前記信号受信機で受信された間引き画像を表する表示部を有するコントローラを備えることを特徴とする請求項12に記載の放射線画像検出システム。
【請求項14】
前記カセッテ型放射線画像検出器は、前記コントローラに装着して前記画像データの全部を転送可能であることを特徴とする請求項12または請求項13に記載の放射線画像検出システム。
【請求項15】
画像データを出力する外部出力機を有し、
前記カセッテ型放射線検出器は、外部出力スイッチを有し、
前記コントローラは、前記外部出力スイッチが操作されたとき、前記コントローラに転送された画像データを前記外部出力機に出力することを特徴とする請求項14に記裁の放射線画像出力システム。
【請求項16】
前記Ｘ線発生装置に前記信号受信機を備えることを特徴とする請求項12乃至請求項15のいずれか1項に記載の放射線画像検出システム。
【請求項17】
前記Ｘ線発生装置のＸ線管球に前記受信機を備えることを特徴とする請求項16に記載の放射線画像検出システム。
【請求項18】
前記Ｘ線発生装置本体に前記信号受信機を備えることを特徴とする請求項16に記載の放射線画像検出システム。
【請求項19】
前記信号受信機は、前記カセッテ型放射線画像検出器を用いて撮影する部屋に1個以上装備されることを特徴とする請求項12乃至請求項18のいずれか1項に記載の放射線画像検出システム。
【手続補正２】
【補正対象書類名】明細書
【補正対象項目名】００１７
【補正方法】変更
【補正の内容】
【００１７】
請求項１に記載の発明は、照射した放射線の強度に応じて2次元的に配列された複数の検出素子で画像データを生成して放射線画像の読み取りを行なう撮像パネルを有し、入射した放射線の画像データを出力するカセッテ型放射線画像検出器であって、
前記画像データを記憶する記憶手段と、
前記画像データから間引き画像データを作成する間引き画像データ作成手段と、
前記間引き画像データを無線信号に変換して外部の信号受信機に転送する画像データ転送手段と、
前記撮影の位置が所定位置が否かを自動的に判別する撮影位置判別手段と、を有することを特徴とするカセッテ型放射線画像検出器である。
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】変更
【補正の内容】
【００３１】
請求項7に記載の発明は、前記判別した撮影の位置が所定位置でない場合警告する報知手段を備えることを特徴とする請求項1乃至請求項6のいずれか1項に記載のカセッテ型放射線画像検出器である。
【手続補正６】
【補正対象書類名】明細書
【補正対象項目名】００３２
【補正方法】変更
【補正の内容】
【００３２】
この請求項7に記載の発明によれば、撮影ミスを容易に知らせることができる。
【手続補正７】
【補正対象書類名】明細書
【補正対象項目名】００３３
【補正方法】変更
【補正の内容】
【００３３】
請求項8に記載の発明は、前記画像データの全部を転送する着脱可能な信号線を備えることを特徴とする請求項１乃至請求項7のいずれか１項に記載のカセッテ型放射線画像検出器である。
【手続補正８】
【補正対象書類名】明細書
【補正対象項目名】００３４
【補正方法】変更
【補正の内容】
【００３４】
この請求項8に記載の発明によれば、全画像データは、画像データの損失がないように、無線では転送しないで、簡単かつ確実に転送することができる。
【手続補正９】
【補正対象書類名】明細書
【補正対象項目名】００３５
【補正方法】変更
【補正の内容】
【００３５】
請求項9に記載の発明は、前記画像データの全部を転送する転送端子を備えることを特徴とする請求項１乃至請求項7のいずれか１項に記載のカセッテ型放射線画像検出器である。
【手続補正１０】
【補正対象書類名】明細書
【補正対象項目名】００３６
【補正方法】変更
【補正の内容】
【００３６】
この請求項9に記載の発明によれば、全画像データは、画像データの損失がないように、無線では転送しないで、簡単かつ確実に転送することができる。
【手続補正１１】
【補正対象書類名】明細書
【補正対象項目名】００３７
【補正方法】変更
【補正の内容】
【００３７】
請求項10に記載の発明は、前記画像データの全部を保存可能なメモリが着脱可能なメモリ装填部を備えることを特徴とする請求項１乃至請求項9のいずれか１項に記載のカセッテ型放射線画像検出器である。
【手続補正１２】
【補正対象書類名】明細書
【補正対象項目名】００３８
【補正方法】変更
【補正の内容】
【００３８】
この請求項10に記載の発明によれば、画像データの全部をメモリに保存することができる。
【手続補正１３】
【補正対象書類名】明細書
【補正対象項目名】００３９
【補正方法】変更
【補正の内容】
【００３９】
請求項11に記載の発明は、前記転送する無線が赤外線であることを特徴とする請求項１乃至請求項10のいずれか１項に記載のカセッテ型放射線画像検出器である。
【手続補正１４】
【補正対象書類名】明細書
【補正対象項目名】００４０
【補正方法】変更
【補正の内容】
【００４０】
この請求項11に記載の発明によれば、転送する無線が赤外線であり、画像データの損失がないように効率よく転送することができる。
【手続補正１５】
【補正対象書類名】明細書
【補正対象項目名】００４１
【補正方法】変更
【補正の内容】
【００４１】
請求項12に記載の発明は、請求項１乃至請求項11のいずれか１項に記載のカセッテ型放射線画像検出器と、このカセッテ型放射線画像検出器で撮影するために放射線を照射するＸ線発生装置と、前記カセッテ型放射線画像検出器で得られる間引き画像データの無線信号を受信する信号受信機とを備えることを特徴とする放射線画像検出システムである。
【手続補正１６】
【補正対象書類名】明細書
【補正対象項目名】００４２
【補正方法】変更
【補正の内容】
【００４２】
この請求項12に記載の発明によれば、間引き画像データを無線信号に変換して外部の信号受信機に転送する。間引き画像は画像データ量が少ないので早く転送でき、かつ撮影した画像の良否確認のために使用するので画像データの転送ミスが多少あっても問題ない。全画像データは、信号線または着脱可能なメモリを介して転送するので、データに損失がない。
【手続補正１７】
【補正対象書類名】明細書
【補正対象項目名】００４３
【補正方法】変更
【補正の内容】
【００４３】
請求項13に記載の発明は、前記信号受信機で受信された間引き画像を表する表示部を有するコントローラを備えることを特徴とする請求項12に記載の放射線画像検出システムである。
【手続補正１８】
【補正対象書類名】明細書
【補正対象項目名】００４４
【補正方法】変更
【補正の内容】
【００４４】
この請求項１3に記載の発明によれば、コントローラは撮影時に、カセッテ型放射線画像検出器の近くにあるので、無線信号が正確に転送される。
【手続補正１９】
【補正対象書類名】明細書
【補正対象項目名】００４５
【補正方法】変更
【補正の内容】
【００４５】
請求項14に記載の発明は、前記カセッテ型放射線画像検出器は、前記コントローラに装着して前記画像データの全部を転送可能であることを特徴とする請求項12または請求項13に記載の放射線画像検出システムである。
【手続補正２０】
【補正対象書類名】明細書
【補正対象項目名】００４６
【補正方法】変更
【補正の内容】
【００４６】
この請求項14に記載の発明によれば、全画像データは、画像データの損失がないように、無線では転送しないで、簡単かつ確実に転送することができる。
請求項15に記載の発明は、画像データを出力する外部出力機を有し、
前記カセッテ型放射線検出器は、外部出力スイッチを有し、
前記コントローラは、前記外部出力スイッチが操作されたとき、前記コントローラに転送された画像データを前記外部出力機に出力することを特徴とする請求項14に記裁の放射線画像出力システムである。
この請求項15に記載の発明によれば、外部出力スイッチが操作されたとき、コントローラに転送された画像データを外部出力機に出力することができる。
【手続補正２１】
【補正対象書類名】明細書
【補正対象項目名】０１５７
【補正方法】削除
【補正の内容】
【手続補正２２】
【補正対象書類名】明細書
【補正対象項目名】０１５８
【補正方法】変更
【補正の内容】
【０１５８】
請求項7に記載の発明では、撮影ミスを容易に知らせることができる。
【手続補正２３】
【補正対象書類名】明細書
【補正対象項目名】０１５９
【補正方法】変更
【補正の内容】
【０１５９】
請求項8に記載の発明では、全画像データは、画像データの損失がないように、無線では転送しないで、簡単かつ確実に転送することができる。
【手続補正２４】
【補正対象書類名】明細書
【補正対象項目名】０１６０
【補正方法】変更
【補正の内容】
【０１６０】
請求項9に記載の発明では、全画像データは、画像データの損失がないように、無線では転送しないで、簡単かつ確実に転送することができる。
【手続補正２５】
【補正対象書類名】明細書
【補正対象項目名】０１６１
【補正方法】変更
【補正の内容】
【０１６１】
請求項10に記載の発明では、画像データの全部をメモリに保存することができる。
【手続補正２６】
【補正対象書類名】明細書
【補正対象項目名】０１６２
【補正方法】変更
【補正の内容】
【０１６２】
請求項11に記載の発明では、転送する無線が赤外線であり、画像データの損失がないように効率よく転送することができる。
【手続補正２７】
【補正対象書類名】明細書
【補正対象項目名】０１６３
【補正方法】変更
【補正の内容】
【０１６３】
請求項12に記載の発明では、間引き画像データを無線信号に変換して外部の信号受信機に転送し、間引き画像は画像データ量が少ないので早く転送でき、かつ撮影した画像の良否確認のために使用するので画像データの転送ミスが多少あっても問題なく、全画像データは、信号線または着脱可能なメモリを介して転送するので、データに損失がない。
【手続補正２８】
【補正対象書類名】明細書
【補正対象項目名】０１６４
【補正方法】変更
【補正の内容】
【０１６４】
請求項13に記載の発明では、コントローラは撮影時に、カセッテ型放射線画像検出器の
近くにあるので、無線信号が正確に転送される。
【手続補正２９】
【補正対象書類名】明細書
【補正対象項目名】０１６５
【補正方法】変更
【補正の内容】
【０１６５】
請求項14に記載の発明では、全画像データは、画像データの損失がないように、無線では転送しないで、簡単かつ確実に転送することができる。
請求項15に記載の発明では、外部出力スイッチが操作されたとき、コントローラに転送された画像データを外部出力機に出力することができる。